(57)【特許請求の範囲】
【請求項１】
液透過性のトップシートと液不透過性のバックシートとこれらの間に設けられた吸収性コアとを有する吸収性物品であって、
前記吸収性コアは、前後方向と幅方向とを有し、
前記吸収性コアは、トップシート側表面に形成され前後方向に延びる第１の溝を有するとともに、バックシート側表面に形成され前後方向に延びる第２の溝と第３の溝を有し、
前記第２の溝の前側端は、前記第１の溝の前側端よりも前方に位置するとともに、前記第２の溝の後側端は、前記第１の溝の前後方向中心よりも前方に位置し、
前記第３の溝の前側端は、前記第１の溝の前後方向中心よりも後方に位置するとともに、前記第３の溝の後側端は、前記第１の溝の後側端よりも後方に位置し、 
前記第１の溝と前記第２の溝と前記第３の溝は、前記吸収性コアの前後方向に延びる同一の仮想線上に設けられていることを特徴とする吸収性物品。
【請求項２】
前記第２の溝の後側端は、前記第１の溝の前側端よりも前方に位置する、および／または、前記第３の溝の前側端は、前記第１の溝の後側端よりも後方に位置する請求項１に記載の吸収性物品。
【請求項３】
前記第１の溝と前記第２の溝と前記第３の溝の幅は５ｍｍ以上３０ｍｍ以下である請求項１または２に記載の吸収性物品。
【請求項４】
前記仮想線が、前記吸収性コアの幅方向の中心線である請求項１〜３のいずれか一項に記載の吸収性物品。
【請求項５】
前記第２の溝は、前記吸収性コアの前側端まで延在している、および／または、前記第３の溝は、前記吸収性コアの後側端まで延在している請求項１〜４のいずれか一項に記載の吸収性物品。
【請求項６】
前記第２の溝は、前方に向かって幅が広がっている、および／または、前記第３の溝は、後方に向かって幅が広がっている請求項１〜５のいずれか一項に記載の吸収性物品。
【請求項７】
前記吸収性コアは、トップシート側表面に設けられた上側吸収層とバックシート側表面に設けられた下側吸収層を有し、
前記上側吸収層は、前記第１の溝として、前後方向に延びる第１の開口を有し、
前記下側吸収層は、前記第２の溝として、前後方向に延びる第２の開口を有するとともに、前記第３の溝として、前後方向に延びる第３の開口を有する請求項１〜６のいずれか一項に記載の吸収性物品。
【請求項８】
前記上側吸収層と前記下側吸収層の間に、前記上側吸収層と前記下側吸収層と異なる色を有する中間シートが設けられている請求項７に記載の吸収性物品。
【請求項９】
前記バックシートは、前記吸収性コアと異なる色を有する請求項１〜８のいずれか一項に記載の吸収性物品。
【発明の詳細な説明】
【技術分野】
【０００１】
本発明は、尿パッド（失禁パッドを含む）、使い捨ておむつ、生理用ナプキン等の吸収性物品に関するものである。
【背景技術】
【０００２】
従来、吸収性物品において尿等の拡散性を高めるために、吸収性コアに溝が形成された吸収性物品が知られている。例えば特許文献１には、トップシートとバックシートとこれらの間に設けられた吸収性コアを有し、吸収性コアが上側吸収層と下側吸収層を有し、上側吸収層に前後方向（吸収性物品を着用した際の着用者の前後方向に相当）に延びる開口が形成された吸収性物品が開示されている。特許文献１に開示される吸収性物品では、吸収性コアのトップシート側表面に前後方向に延びる溝が形成されている。特許文献２には、トップシートとバックシートとこれらの間に設けられた吸収性コアを有し、吸収性コアに前後方向に延びる開口が形成された吸収性物品が開示されている。
【先行技術文献】
【特許文献】
【０００３】
【特許文献１】特開２００７−２０２５７５号公報
【特許文献２】実開平０２−０８４６２３号公報
【発明の概要】
【発明が解決しようとする課題】
【０００４】
特許文献１に開示される吸収性物品は、吸収性コアのトップシート側表面での尿等の拡散性が優れる一方、吸収性コアのバックシート側表面では尿等の拡散性が劣る。吸収性コアのバックシート側表面においても尿等の拡散性を高めるために、特許文献２に開示される吸収性物品のように、吸収性コアを貫通する開口を吸収性コアに設ける場合は、着用者から排泄された尿等が吸収性コアのバックシート側表面に一度に移行して、尿等の漏れが起こりやすくなる。
【０００５】
本発明は前記事情に鑑みてなされたものであり、その目的は、尿等の拡散性に優れ、漏れ防止効果の高い吸収性物品を提供することにある。
【課題を解決するための手段】
【０００６】
前記課題を解決することができた本発明の吸収性物品とは、液透過性のトップシートと液不透過性のバックシートとこれらの間に設けられた吸収性コアとを有する吸収性物品であって、吸収性コアは前後方向と幅方向とを有し、吸収性コアは、トップシート側表面に形成され前後方向に延びる第１の溝を有するとともに、バックシート側表面に形成され前後方向に延びる第２の溝と第３の溝を有し、第２の溝の前側端は第１の溝の前側端よりも前方に位置するとともに、第２の溝の後側端は第１の溝の前後方向中心よりも前方に位置し、第３の溝の前側端は第１の溝の前後方向中心よりも後方に位置するとともに、第３の溝の後側端は第１の溝の後側端よりも後方に位置するところに特徴を有する。
【０００７】
本発明の吸収性物品は、第１の溝、第２の溝、第３の溝が、吸収性コアのトップシート側表面とバックシート側表面に前後方向に互い違いに設けられることにより、着用者から吸収性コアのトップシート側表面に排泄された尿等が第１の溝を前後方向に拡散して、さらに、第２の溝および第３の溝にも適度に移行しやすくなる。従って、吸収性コアのトップシート側表面とバックシート側表面のいずれにおいても、尿等の前後方向への拡散性が向上する。一方、吸収性コアのトップシート側表面に排泄された尿等は、バックシート側表面に一度に大量には移行しにくいため、尿等の漏れも効果的に防止できる。また、本発明の吸収性物品は、第１の溝、第２の溝、第３の溝で吸収性コアを幅方向に折り曲げることが容易になり、吸収性コアが着用者の股間で窪みを形成して、着用者からの排泄物を好適に受けることができる。
【０００８】
第２の溝の後側端は、第１の溝の前側端よりも前方に位置する、および／または、第３の溝の前側端は、第１の溝の後側端よりも後方に位置することが好ましい。このように各溝が設けられれば、尿等がトップシート側表面からバックシート側表面へ一度に大量に移行しにくくなって、尿等の漏れ防止効果が高まる。また、例えば吸収性物品を装着する際に、吸収性物品を前後方向に引っ張ることで、吸収性コアに好適に窪みが形成されやすくなる。
【０００９】
第１の溝と第２の溝と第３の溝は、吸収性コアの前後方向に延びる同一の仮想線上に設けられることが好ましい。このように第１の溝、第２の溝、第３の溝が設けられれば、第１の溝で前後方向に拡散した尿等が第２の溝と第３の溝に移行しやすくなり、尿等の吸収性コアでの拡散性が向上する。さらに、前記仮想線は、吸収性コアの幅方向の中心線であることが好ましい。この場合は、吸収性コアが着用者の股間で窪みを形成して、尿等の排泄物を好適に受けやすくなる。
【００１０】
第２の溝は、吸収性コアの前側端まで延在している、および／または、第３の溝は、吸収性コアの後側端まで延在していることが好ましい。このように第２の溝と第３の溝が形成されていれば、吸収性コアの前側端および／または後側端で吸収性コアを幅方向に折り曲げやすくなり、吸収性物品を前後方向に引っ張ることにより、吸収性コアに自然に窪みが形成されやすくなる。
【００１１】
第２の溝は、前方に向かって幅が広がっていてもよく、および／または、第３の溝は、後方に向かって幅が広がっていてもよい。このように第２の溝と第３の溝が形成されていれば、吸収性物品の前後方向の端部を掴んで吸収性コアを幅方向に折り曲げることが容易になる。
【００１２】
吸収性コアは、トップシート側表面に設けられた上側吸収層とバックシート側表面に設けられた下側吸収層を有し、上側吸収層は、第１の溝として前後方向に延びる第１の開口を有し、下側吸収層は、第２の溝として前後方向に延びる第２の開口を有するとともに、第３の溝として前後方向に延びる第３の開口を有していることが好ましい。吸収性コアが上側吸収層と下側吸収層から構成され、各溝が上側吸収層または下側吸収層に設けられた開口により形成されていれば、吸収性コアに溝を形成することが容易になる。
【００１３】
上側吸収層と下側吸収層の間には、上側吸収層と下側吸収層と異なる色を有する中間シートが設けられていてもよい。上側吸収層と下側吸収層の間にこのような中間シートが設けられていれば、吸収性物品をトップシート側またはバックシート側から見たときに、第１の溝、第２の溝または第３の溝の位置を認識しやすくなる。従って、例えば吸収性物品を装着する際に、溝の位置を認識しながら吸収性コアを幅方向に折り曲げることが容易になる。
【００１４】
また、バックシートが、吸収性コアと異なる色を有していてもよい。バックシートが吸収性コアと異なる色を有していれば、吸収性物品をトップシート側から見たときに、第１の溝、第２の溝または第３の溝の位置を認識しやすくなる。従って、例えば吸収性物品を装着する際に、溝の位置を認識しながら吸収性コアを幅方向に折り曲げることが容易になり、吸収性コアを着用者の股間の好適位置に設置することが容易になる。
【発明の効果】
【００１５】
本発明の吸収性物品は、第１の溝、第２の溝、第３の溝が、吸収性コアのトップシート側表面とバックシート側表面に互い違いに設けられることにより、吸収性コアのトップシート側表面とバックシート側表面のいずれにおいても、尿等の前後方向への拡散性が向上する。また、着用者から吸収性コアのトップシート側表面に排泄された尿等が一度にバックシート側表面に移行しにくくなり、尿等の漏れも効果的に防止できる。さらに、本発明の吸収性物品は、第１の溝、第２の溝、第３の溝で吸収性コアを幅方向に折り曲げることにより、吸収性コアが着用者の股間で窪みを形成して、着用者からの排泄物を好適に受けることができるようになる。
【図面の簡単な説明】
【００１６】
【図１】吸収性コアをトップシート側から見た平面図の例を表す。
【図２】図１に示した吸収性コアのＩＩ−ＩＩ断面図を表す。
【図３】吸収性コアの他の例を表す。
【図４】吸収性コアの他の例を表す。
【図５】吸収性コアをトップシート側から見た平面図の他の例を表す。
【図６】図５に示した吸収性コアのＶＩ−ＶＩ断面図を表す。
【図７】本発明の吸収性物品の一実施態様として、吸収性物品（尿パッド）をトップシート側から見た平面図を表す。
【図８】図７に示した吸収性物品のＶＩＩＩ−ＶＩＩＩ断面図を表す。
【発明を実施するための形態】
【００１７】
本発明の吸収性物品は、トップシートとバックシートとこれらの間に設けられた吸収性コアとを有する。本発明の吸収性物品の態様としては、尿パッド（失禁パッドを含む）、使い捨ておむつ、生理用ナプキン等が示される。
【００１８】
吸収性物品の形状は特に限定されない。吸収性物品が、例えば尿パッド、生理用ナプキンである場合、吸収性物品の形状としては、略長方形、砂時計型、ひょうたん型、羽子板型等が示される。
【００１９】
吸収性物品が使い捨ておむつである場合、使い捨ておむつは、左右に一対の止着部材が備えられ、当該止着部材により着用時にパンツ型に形成するオープン型使い捨ておむつであってもよく、ウェスト開口部と一対の脚開口部とが形成されたパンツ型使い捨ておむつであってもよい。
【００２０】
トップシートは、吸収性物品の着用の際に着用者側に位置するシートであり、液透過性であればその材料は特に限定されない。バックシートは、吸収性物品の着用の際に着用者とは反対側、すなわち外側に位置するシートであり、液不透過性であればその材料は特に限定されない。なお、本発明において、液不透過性とは撥水性の意味も含まれる。
【００２１】
トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルムを用いてもよい。
【００２２】
バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２３】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００２４】
吸収性コアは、トップシートとバックシートとの間に設けられ、尿等の排泄物を吸収する。吸収性コアは、前後方向と幅方向を有するとともに、トップシート側に位置する表面とバックシート側に位置する表面を有する。
【００２５】
本発明において、前後方向とは、吸収性物品を着用者が着用した際、着用者の股間の前後方向に延びる方向を意味する。前後方向において、着用者の腹側に当てられる位置を前側と称し、着用者の背側に当てられる位置を後側と称する。幅方向とは、吸収性コアと同一面上にあり、前後方向と直交する方向を意味する。また、上側とは吸収性物品を着用した際の着用者側を意味し、トップシート側と同義で用いられる。下側とは吸収性物品を着用した際の着用者とは反対側、すなわち外側を意味し、バックシート側と同義で用いられる。上側から下側に延びる方向を、上下方向と称する。
【００２６】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２７】
吸収性材料は、尿等の吸収速度を高め、吸収性コアの保形性を高める点から、親水性繊維を含むことが好ましく、パルプ繊維を含むことがより好ましい。また、吸収容量を高める点からは、吸収性材料は吸水性樹脂を含むことが好ましい。より好ましくは、吸収性コアは、吸収性材料として親水性繊維と吸水性樹脂を含有する。また、後述するように、吸収性コアにはトップシート側表面とバックシート側表面に溝が形成されているため、吸収性コアが親水性繊維と吸水性樹脂を含有していれば、吸収性コアの溝が所定形状に好適に維持されやすくなるとともに、吸収性コアの吸収性能が高められる。
【００２８】
吸収性コアの形状（平面形状）は特に限定されない。吸収性コアの形状は、用途に応じて適宜決定すればよく、例えば、長方形、砂時計型、ひょうたん型、羽子板型等が挙げられる。
【００２９】
吸収性コアは複数の層が積層して形成されてもよい。例えば、吸収性コアは、トップシート側に設けられた上側吸収層とバックシート側に設けられた下側吸収層を有していてもよい。上側吸収層と下側吸収層は、上記の吸収性コアに関する説明と同様に、吸収性材料を含むものであれば特に限定されず、それらの形状（平面形状）も特に限定されない。
【００３０】
吸収性コアは、トップシート側表面に形成され前後方向に延びる第１の溝を有するとともに、バックシート側表面に形成され前後方向に延びる第２の溝と第３の溝を有する。そして、第２の溝は、前側端が第１の溝の前側端よりも前方に位置するとともに、後側端が第１の溝の前後方向中心よりも前方に位置するように設けられる。第３の溝は、前側端が第１の溝の前後方向中心よりも後方に位置するとともに、後側端が第１の溝の後側端よりも後方に位置するように設けられる。
【００３１】
ここで、吸収性コアに形成される第１〜第３の溝について、図面を参照しながら説明する。図１は、吸収性コアをトップシート側から見た平面図を表す。図２は、図１に示した吸収性コアのＩＩ−ＩＩ断面図を表す。なお、本発明の図では、矢印ｘが幅方向、矢印ｙが前後方向を表し、矢印ｘ，ｙにより形成される面に対して垂直方向が上下方向ｚを表す。また、図１では、図の上側が吸収性物品の前側に相当し、図の下側が吸収性物品の後側に相当する。なお、本発明は、図面に示された実施態様に限定されるものではない。
【００３２】
吸収性コア４は、トップシート側表面５とバックシート側表面６を有する。吸収性コア４は、トップシート側表面５に形成され、前後方向ｙに延びる第１の溝７を有するとともに、バックシート側表面６に形成され、前後方向ｙに延びる第２の溝８と前後方向ｙに延びる第３の溝９を有する。そして、図１および図２に示す吸収性コア４では、第２の溝８は第１の溝７より前方に設けられ、第３の溝９は第１の溝７より後方に設けられている。すなわち、第２の溝８は、前側端８Ｆが第１の溝７の前側端７Ｆより前方に位置するとともに、後側端８Ｒも第１の溝７の前側端７Ｆより前方に位置するように設けられ、第３の溝９は、後側端９Ｒが第１の溝７の後側端７Ｒより後方に位置するとともに、前側端９Ｆも第１の溝７の後側端７Ｒより後方に位置するように設けられている。なお、本発明において、「溝」とは、吸収性コアの表面に形成された窪みを意味し、底面を有するものである。従って、溝は吸収性コアを上下方向に貫通するものではない。一方、「開口」とは、吸収性コアを上下方向に貫通して設けられる。
【００３３】
本発明の吸収性物品は、このように吸収性コア４に第１の溝７、第２の溝８、第３の溝９が設けられることにより、吸収性コア４における尿等の前後方向ｙへの拡散性が向上する。すなわち、着用者から排泄された尿等は、吸収性コア４のトップシート側表面５では第１の溝７で前後方向ｙへ拡散する。吸収性コア４のトップシート側表面５で受けた尿等は、一部が吸収性コア４を上下方向ｚに浸透等して吸収性コア４のバックシート側表面６に移行し、このようにバックシート側表面６に移行した尿等は第２の溝８と第３の溝９で前後方向ｙへ拡散する。そして、第１の溝７、第２の溝８、第３の溝９が、吸収性コア４のトップシート側表面５とバックシート側表面６に互い違いに設けられることにより、尿等の前後方向ｙへの拡散性を確保しつつ、着用者から吸収性コア４のトップシート側表面５に排泄された尿等が一度に大量にバックシート側表面６に移行しにくくなり、尿等の漏れを効果的に防止できるようになる。
【００３４】
また、本発明の吸収性物品は、第１の溝７、第２の溝８、第３の溝９で吸収性コア４を幅方向ｘに折り曲げて、吸収性コア４が着用者の股間で窪みを形成しやすくなる。そのため、本発明の吸収性物品は、着用者からの排泄物を好適に受けることができるようになるとともに、横漏れも起こりにくくなる。特に、第２の溝８と第３の溝９をバックシート側表面６に設けることにより、吸収性コア４を幅方向ｘに折り曲げやすくなるとともに、着用者の腹部または臀部で肌と密着して装着されやすい吸収性コア４の前後端部で、トップシート側表面５が平坦に形成されて、吸収性物品の着用感が向上する。
【００３５】
第１の溝７は、着用者の排尿部付近に面するように吸収性コア４に設けられることが好ましい。第１の溝７は吸収性コア４のトップシート側表面５に形成されるため、第１の溝７が着用者の排尿部付近に面するように吸収性コア４に設けられていれば、着用者から排泄された尿等が、まず第１の溝７を通って前後方向ｙに拡散しやすくなり、尿等の吸収性コア４での拡散性が高められる。従って、第１の溝７は、吸収性コア４の前後方向ｙに対する相対的位置として前側端４Ｆを０％とし後側端４Ｒを１００％としたとき、第１の溝７の前側端７Ｆが１０％〜３５％の範囲（より好ましくは１５％〜３０％の範囲）に位置し、第１の溝７の後側端７Ｒが６５％〜９０％の範囲（より好ましくは７０％〜８５％の範囲）に位置することが好ましい。
【００３６】
第２の溝８と第３の溝９は、吸収性コア４の前後方向ｙの端４Ｆ，４Ｒ付近に設けられることが好ましい。すなわち、第２の溝８は吸収性コア４の前側端４Ｆかその近傍まで延在していることが好ましく、第３の溝９は吸収性コア４の後側端４Ｒかその近傍まで延在していることが好ましい。このように第２の溝８と第３の溝９が形成されれば、吸収性コア４を前後方向ｙ全体にわたって幅方向ｘに折り曲げやすくなる。この場合、例えば、吸収性物品を装着する際に、吸収性物品を前後方向ｙに引っ張ることで、吸収性コア４は幅方向ｘ断面で自然に窪みが形成されやすくなる。従って、その状態で吸収性物品を装着することにより、吸収性コア４が着用者からの排泄物を好適に受けることができるようになる。好ましくは、第２の溝８は前側端８Ｆが吸収性コア４の前側端４Ｆから３０ｍｍ以内にあり、より好ましくは２０ｍｍ以内にある。また、第３の溝９は後側端９Ｒが吸収性コア４の後側端４Ｒから３０ｍｍ以内にあることが好ましく、２０ｍｍ以内にあることがより好ましい。なお、図１および図２では、第２の溝８は吸収性コア４の前側端４Ｆまで延在し、第３の溝９は吸収性コア４の後側端４Ｒまで延在している。すなわち、第２の溝８の前側端８Ｆが吸収性コア４の前側端４Ｆと一致し、第３の溝９の後側端９Ｒが吸収性コア４の後側端４Ｒと一致している。
【００３７】
第１の溝７、第２の溝８、第３の溝９の幅（幅方向ｘの長さ）は、５ｍｍ以上が好ましく、８ｍｍ以上がより好ましく、また３０ｍｍ以下が好ましく、２５ｍｍ以下がより好ましい。各溝の幅が５ｍｍ以上であれば、各溝における尿等の前後方向ｙへの拡散性が高められるとともに、吸収性コア４を幅方向ｘに折り曲げやすくなる。各溝の幅が３０ｍｍ以下であれば、吸収性コア４に含まれる吸収性材料の量が増え、吸収容量が増大する。
【００３８】
第１の溝７、第２の溝８、第３の溝９は、前後方向ｙに延びる限りその形状は特に限定されないが、幅方向ｘより前後方向ｙに長い形状であることが好ましい。図１では、第１の溝７は、前後方向ｙに長い角の丸まった長方形となっており、第２の溝８と第３の溝９は、前後方向ｙに長い角の丸まった長方形の一方端が切除された形状となっている。また、各溝の形状は、例えば、長方形、楕円形、多角形、砂時計型、ひょうたん型等であってもよい。
【００３９】
第２の溝８と第３の溝９は、吸収性コア４の前後方向ｙの外方に向かって幅が広がっていることも好ましい。すなわち、第２の溝８は前方に向かって幅が広がっていてもよく、第３の溝９は後方に向かって幅が広がっていてもよい。このように第２の溝８と第３の溝９が形成されていれば、吸収性物品の前後方向ｙの端部を掴んで吸収性コア４を幅方向ｘに折り曲げることが容易になる。
【００４０】
吸収性コアに形成される溝の様々な例を、図３（ａ）〜（ｄ）および図４（ａ），（ｂ）を参照して説明する。図３（ａ）〜（ｄ）および図４（ａ），（ｂ）には、吸収性コア４をトップシート側から見た平面図が示され、いずれの吸収性コア４も、トップシート側表面に形成された第１の溝７と、バックシート側表面に形成された第２の溝８と第３の溝９を有している。
【００４１】
図３（ａ）では、第１の溝７、第２の溝８、第３の溝９がそれぞれ、２つずつ幅方向ｘに並んで設けられている。このように第１の溝７、第２の溝８、第３の溝９は複数設けられてもよい。
【００４２】
図３（ｂ）では、第１の溝７が１つのみ設けられているのに対し、第２の溝８と第３の溝９は２つずつ幅方向ｘに並んで設けられている。逆に、図３（ｃ）では、第１の溝７が幅方向ｘに２つ並んで設けられているのに対し、第２の溝８と第３の溝９は１つのみ設けられている。このように第１の溝７と第２の溝８と第３の溝９は互いに異なる数が設けられてもよい。
【００４３】
なお、第１の溝７、第２の溝８、第３の溝９は、図１や図３（ａ）に示すように、吸収性コア４の前後方向ｙに並んで設けられることが好ましい。すなわち、第１の溝７、第２の溝８、第３の溝９は、吸収性コア４の前後方向ｙに延びる同一の仮想線上に設けられることが好ましい。このように第１の溝７、第２の溝８、第３の溝９が設けられれば、第１の溝７で前後方向ｙに拡散した尿等が第２の溝８と第３の溝９に移行しやすくなり、尿等の吸収性コア４での拡散性が向上する。
【００４４】
さらに、第１の溝７、第２の溝８、第３の溝９は、図１に示すように、吸収性コア４の幅方向ｘの中心線（前後方向ｙに延びる中心線）上に設けられることが好ましい。このように第１の溝７、第２の溝８、第３の溝９が設けられれば、吸収性コア４が着用者の股間で窪みを形成して、尿等の排泄物を好適に受けやすくなるとともに、尿等が各溝を通って前後方向ｙに拡散しやすくなる。
【００４５】
図３（ｄ）では、第２の溝８と第３の溝９は、図１の吸収性コア４とは異なり、吸収性コア４の前後方向ｙの端４Ｆ，４Ｒまで延在していない。第２の溝８と第３の溝９はこのように形成されていてもよい。
【００４６】
しかしながら、第２の溝８は吸収性コア４の前側端４Ｆまで延在していることが好ましく、第３の溝９は吸収性コア４の後側端４Ｒまで延在していることが好ましい。このように第２の溝８と第３の溝９が形成されていれば、吸収性コア４の前側端４Ｆおよび／または後側端４Ｒで吸収性コア４を幅方向ｘに折り曲げやすくなり、吸収性物品を前後方向ｙに引っ張ることにより、吸収性コア４が幅方向ｘに折れ曲がって自然に窪みが形成されやすくなる。
【００４７】
図４（ａ）および図４（ｂ）では、第２の溝８が第１の溝７の前側端７Ｆよりも後方に延び、第３の溝９が第１の溝７の後側端７Ｒよりも前方に延びている。このように、第２の溝８と第３の溝９は第１の溝７と前後方向ｙに対して一部重なって設けられてもよい。しかしこの場合、第２の溝８は、後側端８Ｒが第１の溝７の前後方向ｙの中心７Ｃよりも前方に位置し、第３の溝９は、前側端９Ｆが第１の溝７の前後方向ｙの中心７Ｃよりも後方に位置するように設けられる。つまり、第２の溝８と第３の溝９は互いに交わるように設けられない。
【００４８】
なお、図４（ａ）に示した吸収性コア４では、第１の溝７と第２の溝８と第３の溝９が前後方向ｙに並んで設けられており、その結果、第２の溝８の一部が第１の溝７と重なって、吸収性コア４を貫通する開口１０が形成され、第３の溝９の一部が第１の溝７と重なって、吸収性コア４を貫通する開口１１が形成されている。この場合、第１の溝７を前後方向ｙに拡散した尿等が開口１０，１１を通って第２の溝８や第３の溝９に移行しやすくなり、吸収性コア４における尿等の拡散性がさらに高められる。しかし、尿等が吸収性コア４のバックシート側表面６に移行する量は多過ぎないことが、尿等の漏れを防止する点からは好ましい。従って、第１の溝７と第２の溝８とが重なって設けられる場合、第１の溝７と第２の溝８が重なる部分の長さ（すなわち開口１０の前後方向ｙの長さ）は２０ｍｍ以下が好ましく、１５ｍｍ以下がより好ましく、１０ｍｍ以下がさらに好ましい。特に好ましくは、第１の溝７と第２の溝８とが重なって設けられない。第１の溝７と第３の溝９との関係についても同様である。
【００４９】
一方、図４（ｂ）に示すように、第１の溝７が、第２の溝８と第３の溝９と幅方向ｘにずれて設けられる場合は、第２の溝８は、後側端８Ｒが第１の溝７の前側端７Ｆよりも前方か、第１の溝７の前側端７Ｆよりも後方に３０ｍｍ以内（より好ましくは２０ｍｍ以内であり、さらに好ましくは１５ｍｍ以内）に位置するように設けられることが好ましく、第３の溝９は、前側端９Ｆが第１の溝７の後側端７Ｒよりも後方か、第１の溝７の後側端７Ｒよりも前方に３０ｍｍ以内（より好ましくは２０ｍｍ以内であり、さらに好ましくは１５ｍｍ以内）に位置するように設けられることが好ましい。このように各溝が設けられれば、第１の溝７と第２の溝８が前後方向ｙに対して重なる部分や、第１の溝７と第３の溝９が前後方向ｙに対して重なる部分で、吸収性コア４に不規則なしわが生じにくくなり、吸収性物品の着用感が向上する。
【００５０】
第２の溝８と第３の溝９は、好ましくは、図１および図３（ａ）〜（ｄ）に示されるように、第１の溝７と前後方向ｙで重ならないように設けられる。すなわち、第２の溝８は、後側端８Ｒが第１の溝７の前側端７Ｆよりも前方に位置するように設けられることが好ましく、第３の溝９は、前側端９Ｆが第１の溝７の後側端７Ｒよりも後方に位置するように設けられることが好ましい。このように各溝が設けられれば、尿等がトップシート側表面５からバックシート側表面６へ一度に大量に移行しにくくなって、尿等の漏れ防止効果が高まる。また、吸収性物品を前後方向ｙに引っ張ることにより、吸収性コア４に好適に窪みが形成されやすくなる。より好ましくは、第２の溝８の後側端８Ｒは、第１の溝７の前側端７Ｆよりも５ｍｍ以上３０ｍｍ以下前方（より好ましくは８ｍｍ以上２０ｍｍ以下前方）に位置する。また、第３の溝９の前側端９Ｆは、第１の溝７の後側端７Ｒよりも５ｍｍ以上３０ｍｍ以下後方（より好ましくは８ｍｍ以上２０ｍｍ以下後方）に位置することが好ましい。
【００５１】
第１の溝、第２の溝、第３の溝を吸収性コアに形成する方法は特に限定されない。例えば、吸収性コアが部分的に圧縮されることにより各溝が形成されてもよく、吸収性コアの目付が部分的に減らされることにより各溝が形成されてもよい。なお、尿等が吸収性コアを浸透して第２の溝と第３の溝に移行しやすくする点からは、各溝は吸収性コアの目付が減らされることにより形成されることが好ましい。すなわち吸収性コアは、第１の溝、第２の溝、第３の溝における目付が、吸収性コアの他の部分よりも少ないことが好ましい。
【００５２】
また、第１の溝、第２の溝、第３の溝は、複数の層から構成される吸収性コアのトップシート側表面に設けられる層とバックシート側表面に設けられる層にそれぞれ開口が設けられることにより、形成されてもよい。すなわち、吸収性コアは、トップシート側表面に設けられた上側吸収層とバックシート側表面に設けられた下側吸収層を有し、上側吸収層は、第１の溝として前後方向に延びる第１の開口を有し、下側吸収層は、第２の溝として前後方向に延びる第２の開口を有するとともに、第３の溝として前後方向に延びる第３の開口を有するものであってもよい。これについて、図５および図６を参照して説明する。
【００５３】
図５は、複数の層から構成される吸収性コアをトップシート側表面から見た平面図を表す。図６は、図５に示した吸収性コアのＶＩ−ＶＩ断面図を表す。図５および図６は、図１および図２に示した吸収性コアが複数の層から構成される場合の例を表している。なお、吸収性コアが複数の層から構成される実施態様は、図面に限定されるものではない。
【００５４】
図５および図６では、吸収性コア４は、トップシート側表面５に設けられた上側吸収層１２とバックシート側表面６に設けられた下側吸収層１３を有し、上側吸収層１２は、第１の溝７として前後方向ｙに延びる第１の開口１４を有し、下側吸収層１３は、第２の溝８として前後方向ｙに延びる第２の開口１５を有するとともに、第３の溝９として前後方向ｙに延びる第３の開口１６を有している。そして、第２の開口１５は、前側端１５Ｆが第１の開口１４の前側端１４Ｆよりも前方に位置するとともに、後側端１５Ｒが第１の溝１４の前後方向ｙの中心１４Ｃよりも前方に位置するように設けられ、第３の溝１６は、前側端１６Ｆが第１の溝１４の前後方向ｙの中心１４Ｃよりも後方に位置するとともに、後側端１６Ｒが第１の溝１４の後側端１４Ｒよりも後方に位置するように設けられている。このように各溝が上側吸収層１２または下側吸収層１３に設けられた開口により形成されていれば、吸収性コアに溝を形成することが容易になる。各開口の設けられる位置や形状、大きさ等の好適な態様は、溝に関する上記説明と同じである。
【００５５】
なお、図５および図６には示されていないが、上側吸収層１２と下側吸収層１３の間には、上側吸収層１２と下側吸収層１３と異なる色を有する中間シートが設けられていてもよい。中間シートは、第１の開口１４、第２の開口１５および第３の開口１６の少なくとも１つと重なるように設けられることが好ましい。このように中間シートが設けられていれば、吸収性物品をトップシート側またはバックシート側から見たときに、第１の開口１４（第１の溝７）、第２の開口１５（第２の溝８）または第３の開口１６（第３の溝９）の位置を認識しやすくなる。従って、例えば吸収性物品を装着する際に、開口（溝）の位置を認識しながら吸収性コア４を幅方向ｘに折り曲げることが容易になる。
【００５６】
中間シートは液透過性のシート材料から構成されていることが好ましく、そのようなシート材料としては、例えば、ティッシュペーパー、薄葉紙、クレープ紙等の紙シート；ケミカルボンド不織布、エアレイド不織布、エアスルー不織布、スパンレース不織布等の不織布シート；孔を有するプラスチックフィルムシート等が挙げられる。中間シートの色としては、吸収性コア４が一般に白色であることから白色以外であることが好ましく、例えば、青色等が挙げられる。
【００５７】
次に、本発明の吸収性物品の構成例について、図７および図８を参照して説明する。なお、本発明は、図面に示された実施態様に限定されるものではない。図７および図８では、図５および図６に示したような上側吸収層１２と下側吸収層１３を有する吸収性コア４を備えた吸収性物品を示した。図７は、吸収性物品として尿パッドをトップシート側から見た平面図を表す。図８は、図７の吸収性物品のＶＩＩＩ−ＶＩＩＩ断面図を表す。図７では、図の上側が吸収性物品の前側に相当し、図の下側が吸収性物品の後側に相当する。
【００５８】
吸収性物品１は、液透過性のトップシート２と液不透過性のバックシート３とこれらの間に設けられた吸収性コア４とを有する。トップシート２は、着用者の肌に面するように配置され、尿等の排泄物を透過する。トップシート２を透過した排泄物は、吸収性コア４により収容される。バックシート３は、排泄物が外部へ漏れるのを防いでいる。
【００５９】
吸収性コア４は、前後方向ｙと幅方向ｘとを有し、トップシート側表面に設けられた上側吸収層１２とバックシート側表面に設けられた下側吸収層１３を有する。上側吸収層１２は、第１の溝７として、前後方向ｙに延びる第１の開口１４を有し、下側吸収層１３は、第２の溝８として、前後方向ｙに延びる第２の開口１５を有するとともに、第３の溝９として、前後方向ｙに延びる第３の開口１６を有する。つまり、吸収性コア４は、トップシート側表面に形成され前後方向ｙに延びる第１の溝７を有するとともに、バックシート側表面に形成され前後方向ｙに延びる第２の溝８と第３の溝９を有する。第１の溝７（第１の開口１４）と第２の溝８（第２の開口１５）と第３の溝９（第３の開口１６）の詳細は、上記に説明した通りである。本発明の吸収性物品１は、このように溝（開口）が設けられる結果、尿等の吸収性コア４での前後方向ｙへの拡散性が高められるとともに、尿等の漏れ防止効果が高められる。また、吸収性コア４が幅方向ｘに折り曲げられて着用者の股間で窪みを形成し、着用者からの排泄物を好適に受けることができるようになる。
【００６０】
上側吸収層１２と下側吸収層１３の間には中間シート１７が設けられている。中間シート１７は、上側吸収層１２と下側吸収層１３と異なる色を有していることが好ましく、図７では、中間シート１７が第１の開口１４、第２の開口１５および第３の開口１６と重なるように設けられている。このように中間シート１７が設けられることにより、吸収性物品１をトップシート２側またはバックシート３側から見たときに、第１の溝７、第２の溝８、および第３の溝９の位置を認識しやすくなる。
【００６１】
また、バックシート３は吸収性コア４と異なる色を有していてもよい。バックシート３が吸収性コア４と異なる色を有していれば、吸収性物品１をトップシート２側から見たときに、第１の溝７、第２の溝８および第３の溝９の位置を認識しやすくなる。バックシート２の色としては、吸収性コア４が一般に白色であることから白色以外であることが好ましく、例えば、青色等が挙げられる。
【００６２】
上記のように中間シート１７および／またはバックシート３が着色されていれば、例えば吸収性物品を装着する際に、溝の位置を認識しながら吸収性コア４を幅方向ｘに折り曲げることが容易になり、吸収性コア４を着用者の股間の好適位置に設置することが容易になる。
【００６３】
図８に示すように、トップシート２と吸収性コア４との間には上側台紙１８が設けられ、バックシート３と吸収性コア４との間には下側台紙１９が設けられることが好ましい。なお、図７では、上側台紙１８と下側台紙１９が省略されている。上側台紙１８と下側台紙１９が設けられることにより、吸収性コア４が型くずれしにくくなる。また、吸収性コア４の上側吸収層１２や下側吸収層１３に吸水性樹脂が含まれる場合は、上側台紙１８と下側台紙１９によってトップシート２やバックシート３の表面に吸水性樹脂が移行するのが防止され、トップシート２やバックシート３の肌触りが良好に維持されやすくなる。上側台紙１８と下側台紙１９としては、ティッシュペーパーや薄葉紙、クレープ紙等を用いることができる。
【００６４】
上側台紙１８は接着剤等の接合手段により上側吸収層１２と接合されていることが好ましい。また、下側台紙１９は接着剤等の接合手段により下側吸収層１３と接合されていることが好ましい。上側台紙１８が上側吸収層１２と接合されていれば、上側吸収層１２の保形性が高められ、上側吸収層１２に形成された第１の開口１４の形状が好適に維持されやすくなる。同様に、下側台紙１９が下側吸収層１３と接合されていれば、下側吸収層１３の保形性が高められ、下側吸収層１３に形成された第２の開口１５と第３の開口１６の形状が好適に維持されやすくなる。
【００６５】
吸収性物品１には、吸収性コア４の幅方向ｘの両側に、吸収性コア４の前後方向ｙに延在する立ち上がりフラップ２０が設けられてもよい。図７および図８では、トップシート２の幅方向ｘの両側に、前後方向ｙに延在するサイドシート２１が接合し、サイドシート２１の幅方向ｘの内方端に設けられた起立用弾性部材２２の収縮力によりサイドシート２１の内方端が着用者の肌に向かって立ち上がり、これにより立ち上がりフラップ２０が形成されている。立ち上がりフラップ２０により、尿等の幅方向ｘの横漏れが防止される。サイドシート２１は、液不透過性のプラスチックフィルムや液不透過性の不織布等により構成される。なお、立ち上がりフラップ２０は前後方向ｙの端部の内面がトップシート２上に接合されてもよく、これにより立ち上がりフラップ２０の立ち上がりが容易になる。
【符号の説明】
【００６６】
１：  吸収性物品（尿パッド）
２：  トップシート
３：  バックシート
４：  吸収性コア
５：  トップシート側表面
６：  バックシート側表面
７：  第１の溝
８：  第２の溝
９：  第３の溝
１２：  上側吸収層
１３：  下側吸収層
１４：  第１の開口
１５：  第２の開口
１６：  第３の開口
【図１】
0005836782.tif 000002
【図２】
0005836782.tif 000003
【図３】
0005836782.tif 000004
【図４】
0005836782.tif 000005
【図５】
0005836782.tif 000006
【図６】
0005836782.tif 000007
【図７】
0005836782.tif 000008
【図８】
0005836782.tif 000009